(57)【要約】【課題】飛翔体の大型化を要せずに、推進薬の燃焼時に発生する燃焼ガスから放出される赤外線および紫外線を抑制し、赤外線検知器や紫外線検知器における飛翔体の検知を行いにくくする。【解決手段】本発明の一実施形態に係る飛翔体は、燃焼室、噴射ノズルおよび赤外線・紫外線放出抑制機構を備える。  燃焼室は、内部に推進薬を格納し、この推進薬を燃焼する。噴射ノズルは、燃焼室の連結して機体の後方部に設けられ、推進薬の燃焼によって発生した燃焼ガスを後方へ噴射する。赤外線・紫外線放出抑制機構は、燃焼室または噴射ノズルに接続して設けられ、燃焼ガスが発する赤外線および紫外線を吸収する薬剤または部材を燃焼ガスの噴射領域の外周領域に向けて放出し、噴射領域の外周部を被覆する。【選択図】図３
2012255581.tif 000002
【特許請求の範囲】
【請求項１】
内部に推進薬を格納し、この推進薬を燃焼する燃焼室と、
この燃焼室の連結して機体の後方部に設けられ、前記推進薬の燃焼によって発生した燃焼ガスを後方へ噴射する噴射ノズルと、
前記燃焼室または前記噴射ノズルに接続して設けられ、前記燃焼ガスが発する赤外線および紫外線を吸収する薬剤または部材を前記燃焼ガスの噴射領域の外周領域に向けて放出し、前記噴射領域の外周部を被覆する赤外線・紫外線放出抑制機構と、
を備えることを特徴とする飛翔体。
【請求項２】
前記赤外線・紫外線放出抑制機構は、前記噴射ノズルの噴射口の内周面に沿って固着して形成され、前記燃焼ガスの噴射圧力によって所定時間に亘って飛散する赤外線・紫外線放出抑制剤であることを特徴とする請求項１記載の飛翔体。
【請求項３】
前記赤外線・紫外線放出抑制機構は、前記燃焼室または前記噴射ノズルの外周部に固着して形成され、機体の飛翔時の空気抵抗力によって所定時間に亘って飛散する赤外線・紫外線放出抑制剤であることを特徴とする請求項１記載の飛翔体。
【請求項４】
前記赤外線・紫外線放出抑制機構は、
前記噴射ノズルの外周部に沿って環状に形成され、粉末加工された赤外線・紫外線放出抑制剤を格納する赤外線・紫外線放出抑制剤格納部と、
この赤外線・紫外線放出抑制剤格納部に連結して設けられ、前記赤外線・紫外線放出抑制剤格納部に向けて放出する高圧ガスを格納する高圧ガスボンベと、
前記赤外線・紫外線放出抑制剤格納部に連結して、前記噴射ノズルの噴射口の外周部に所望の数設けられ、前記高圧ガスの放出に伴って前記赤外線・紫外線放出抑制剤格納部から放出する前記赤外線・紫外線放出抑制剤を前記燃焼ガスの噴射領域の外周領域に向けて放出する抑制剤放出口と、
を備えることを特徴とする請求項１記載の飛翔体。
【請求項５】
前記赤外線・紫外線放出抑制機構は、
前記噴射ノズルの外周部に沿って環状に形成され、粉末加工された赤外線・紫外線放出抑制剤を格納する赤外線・紫外線放出抑制剤格納部と、
この赤外線・紫外線放出抑制剤格納部および前記燃焼室に連結して設けられ、前記赤外線・紫外線放出抑制剤格納部に向けて前記燃焼ガスの燃焼圧力を誘導する燃焼圧力誘導管と、
前記赤外線・紫外線放出抑制剤格納部内の前記燃焼圧力誘導管側に設けられ、前記燃焼圧力の導入に伴って前記赤外線・紫外線放出抑制剤に圧力を加えるピストンと、
前記赤外線・紫外線放出抑制剤格納部に連結して、前記噴射ノズルの噴射口の外周部に所望の数設けられ、前記ピストンからの圧力に伴って前記赤外線・紫外線放出抑制剤格納部から前記赤外線・紫外線放出抑制剤を前記燃焼ガスの噴射領域の外周領域に向けて放出する抑制剤放出口と、
を備えることを特徴とする請求項１記載の飛翔体。
【請求項６】
前記赤外線・紫外線放出抑制機構は、
前記噴射ノズルの外周部に沿って環状に形成され、赤外線・紫外線放出抑制剤を格納する赤外線・紫外線放出抑制剤格納部と、
前記赤外線・紫外線放出抑制剤格納部に隣接して前記燃焼室側に設けられ、前記赤外線・紫外線放出抑制剤格納部内の前記赤外線・紫外線放出抑制剤を前記噴射ノズルの噴射方向へ押し付ける押しバネと、
この押しバネに隣接して設けられ、所望のタイミングで前記押しバネに振動を加える振動装置と、
前記赤外線・紫外線放出抑制剤格納部の一端に前記噴射ノズルの噴射口の外周部に沿って網目状に形成されたヤスリ部材であって、前記振動装置からの振動と前記押しバネからの押圧力とに基づいて当接された前記赤外線・紫外線放出抑制剤を削り取り、前記燃焼ガスの噴射領域の外周領域に向けて放出する抑制剤放出メッシュと、
を備えることを特徴とする請求項１記載の飛翔体。
【請求項７】
前記噴射ノズルの外周部に沿って環状に形成され、耐熱性ファイバークロスを格納するクロス格納部と、
このクロス格納部に格納された前記耐熱性ファイバークロスを前記燃焼ガスの噴射領域の外周領域に向けて展開し、前記噴射領域の外周部を被覆するクロス展開部と、
を備えることを特徴とする請求項１記載の飛翔体。
【請求項８】
前記耐熱性ファイバークロスには、前記燃焼ガスの放出時における前記噴射ノズルの噴射口近傍の気圧を大気圧以上の値に調整する所望の数のスリットが形成されているをことを特徴とする請求項７記載の飛翔体。
【発明の詳細な説明】
【技術分野】
【０００１】
本発明の実施形態は、赤外線検知器や紫外線検知器による検知を行いにくい飛翔体に関する。
【背景技術】
【０００２】
図２０は、従来型の飛翔体の飛翔時における断面図である。同図に示されるように、飛翔体は、燃焼室１１内に格納された推進薬１３（固体推進薬または液体推進薬）を燃焼させ、発生した燃焼ガスを噴射ノズル１５から放出することで生じる推力によって飛翔する。しかし、噴射ノズル１５から後方に放出される燃焼ガスは、赤外線および紫外線を放出するため、赤外線検知器や紫外線検知器を使用することで、飛翔体は容易に検知されてしまう。
【０００３】
また、赤外線や紫外線を発生する機体を赤外線検知器や紫外線検知器において検知しにくくする方法に関する従来技術では、機体が燃焼ガスを排出する前に、別途取り込んだ低温の空気と燃焼ガスを混合させ、燃焼ガスの温度を低下することにより、赤外線および紫外線の放出を抑制する方法が知られている。
【先行技術文献】
【特許文献】
【０００４】
【特許文献１】特開２００８−２８０９６７号公報
【特許文献２】特開２００５−２８０６９７号公報
【発明の概要】
【発明が解決しようとする課題】
【０００５】
しかしながら、上記の従来技術においては、低温の空気と燃焼ガスを混合させ、燃焼ガスの温度を低下することにより、赤外線や紫外線の放出を抑制する方式のため、空気を取り入れるための構造や、空気と燃焼ガスを混合させる空間を別途設ける必要があり、飛翔体に適用するとサイズが大きくなってしまうという問題がある。
【０００６】
そこで、本発明は、上記従来技術の問題に鑑み、飛翔体の大型化を要せずに、推進薬の燃焼時に発生する燃焼ガスから放出される赤外線および紫外線を抑制し、赤外線検知器や紫外線検知器による検知を行いにくい飛翔体を提供することを目的とする。
【課題を解決するための手段】
【０００７】
本発明の一実施形態に係る飛翔体は、燃焼室、噴射ノズルおよび赤外線・紫外線放出抑制機構を備える。
【０００８】
燃焼室は、内部に推進薬を格納し、この推進薬を燃焼する。噴射ノズルは、燃焼室の連結して機体の後方部に設けられ、推進薬の燃焼によって発生した燃焼ガスを後方へ噴射する。赤外線・紫外線放出抑制機構は、燃焼室または噴射ノズルに接続して設けられ、燃焼ガスが発する赤外線および紫外線を吸収する薬剤または部材を燃焼ガスの噴射領域の外周領域に向けて放出し、噴射領域の外周部を被覆する。
【図面の簡単な説明】
【０００９】
【図１】本発明の実施形態１に係る飛翔体の全体構成例を示す断面図。
【図２】図１に示す飛翔体を噴射ノズル側から見た底面図。
【図３】図１に示す飛翔体の飛翔時における断面図。
【図４】本発明の実施形態２に係る飛翔体の全体構成例を示す断面図。
【図５】図４に示す飛翔体を噴射ノズル側から見た底面図。
【図６】本発明の実施形態３に係る飛翔体の全体構成例を示す断面図。
【図７】図６に示す飛翔体を噴射ノズル側から見た底面図。
【図８】図６に示す飛翔体の飛翔時における断面図。
【図９】本発明の実施形態４に係る飛翔体の全体構成例を示す断面図。
【図１０】図９に示す飛翔体の噴射ノズル外周部分の拡大図。
【図１１】図１０に示す飛翔体のＡ−Ａ´部における断面図。
【図１２】本発明の実施形態５に係る飛翔体の全体構成例を示す断面図。
【図１３】本発明の実施形態６に係る飛翔体の全体構成例を示す断面図。
【図１４】図１３に示す飛翔体を噴射ノズル側から見た底面図。
【図１５】本発明の実施形態７に係る飛翔体の全体構成例を示す断面図。
【図１６】図１５に示す飛翔体を噴射ノズル側から見た底面図。
【図１７】図１５に示す飛翔体の飛翔時における断面図。
【図１８】図１５に示す飛翔体の飛翔時における外観図。
【図１９】図１５に示す飛翔体における耐熱性ファイバークロスの切り離し機構の具体例を示す図。
【図２０】従来型の飛翔体の飛翔時における断面図。
【発明を実施するための形態】
【００１０】
以下、本発明の実施形態について図面を用いて詳細に説明する。  
＜実施形態１＞
図１は、本発明の実施形態１に係る飛翔体の全体構成例を示す断面図である。また、図２は、図１に示す飛翔体を噴射ノズル１５側から見た底面図である。これらの図に示されるように、飛翔体は、前方部に燃焼室１１を備え、この燃焼室１１内には例えばエチレン・プロピレンゴムなどの断熱部材１２を介して環形状の推進薬１３が格納された飛翔体である。また、推進薬１３推進薬１３の中央部に形成された空間には点火を行う点火装置１４が配置されている。
【００１１】
推進薬１３としては、運搬性や充填性等を考慮して例えば、ＨＴＰＢ（末端水酸基ポリブタジエン）などの固体推進薬を用いる。
【００１２】
また、飛翔体の後方部には、燃焼室１１の連結された噴射ノズル１５（推進装置）が設けられており、推進薬１３の燃焼によって発生した燃焼ガスを後方へ噴射する。そして、噴射ノズル１５の内周面には、赤外線および紫外線の放出を抑制するための機構（以下、「赤外線・紫外線放出抑制機構」）として赤外線反射剤、赤外線吸収剤、紫外線反射剤および紫外線吸収剤を適宜混合した物質（以下、併せて「赤外線・紫外線放出抑制剤」という。）１６の層が固着されている。この赤外線・紫外線放出抑制剤１６の具定例としては、シリコン、赤外線吸収有機化合物、酸化チタン、酸化亜鉛、セリウム化合物等が挙げられる。
【００１３】
尚、本実施形態では赤外線・紫外線放出抑制剤１６の層は、高圧を負荷することにより固形化して形成するが、燃焼室１１側から噴射ノズル１５側への燃焼ガスの噴射圧力によって所定時間に亘って飛散するように強度調整を行うものとする。例えば、バインダ（ゴム）や強化プラスチック等に練り込む方式が好適である。飛散時において、固形化した抑制剤と周囲の流速の関係は、飛しょう体の速度、ノズルの設計により、影響の度合いが違うので、個別に設計する必要がある。
【００１４】
図３は、図１に示す飛翔体の飛翔時における断面図である。ここでは、第一段点火を行った場合の様子が示されており、燃焼室１１側での燃焼によって燃焼ガスが発生すると、燃焼ガスは矢印Ｓ方向に移動して噴射ノズル１５から外部へ放出され、機体には矢印Ｔ方向への推進力を生じる。また、噴射の際には、噴射ノズル１５の内周面に沿って形成されている赤外線・紫外線放出抑制剤１６の層は、噴射の圧力によって削り取られる。すなわち、燃焼ガスの噴射領域の外周領域に向けて放出され、噴射領域の外周部を抑制剤粒子の層（以下、「反射・吸収層」）１７で被覆する状態となる。この結果、燃焼ガスから放出される赤外線および紫外線は、赤外線および紫外線を反射・吸収する反射・吸収層１７の内部で拡散、減衰されるようになり、この反射・吸収層層１７の外部に放出されるときは、減衰した赤外線および紫外線となる。
【００１５】
このように、本実施形態によれば、噴射ノズル１５の内周面に簡易な施工によって赤外線・紫外線放出抑制機構を実装するため、飛翔体の大型化を要せずに、推進薬の燃焼時に発生する燃焼ガスから放出される赤外線および紫外線を抑制し、外部のセンサ等からの検知を行いにくくできる。
【００１６】
以下、発明の他の実施形態を図４乃至図１９に基づいて詳細に説明する。尚、上記実施形態１の各図面に付された符号と共通する符号は同一の対象を示すため、説明は省略し、相違点を中心に説明する。
【００１７】
＜実施形態２＞
図４は、本発明の実施形態２に係る飛翔体の全体構成例を示す断面図である。また、図５は、図４に示す飛翔体を噴射ノズル１５側から見た底面図である。
【００１８】
これらの図に示されるように、本実施形態に係る飛翔体は、実施形態１の飛翔体とは赤外線・紫外線放出抑制機構の形成位置が異なり、燃焼室１１および噴射ノズル１５の外周部に亘って赤外線・紫外線放出抑制剤１６を固着させることで形成されている。
【００１９】
本実施形態の場合、赤外線・紫外線放出抑制剤１６の層は、機体の飛翔時の空気抵抗力によって所定時間に亘って後方へ飛散させるため、土壁のように、手でさわるとぼろぼろ落ちる程度の固形化を想定している。したがって、基本的には水や結合性の低い接着剤を用いて高圧で押し固める方式などが好適である。
【００２０】
このように、本実施形態によれば、上記実施形態１と同様に、簡易な構造および施工によって燃焼ガスの噴射領域の外周部に赤外線・紫外線放出抑制剤１６の粉末を飛散させることが可能となる。また、噴射ノズル１５の内周面だけでなく、燃焼室１１の外周部に亘って赤外線・紫外線抑制機構が形成されているため、上記実施形態１に比べて多くの薬剤を飛散させることが可能な利点がある。
【００２１】
＜実施形態３＞
図６は、本発明の実施形態３に係る飛翔体の全体構成例を示す断面図である。図７は、図６に示す飛翔体を噴射ノズル１５側から見た底面図である。
【００２２】
これらの図に示されるように、本実施形態においては赤外線・紫外線放出抑制機構は、赤外線・紫外線放出抑制剤格納部２０、高圧ガスボンベ２１、ガス管２２および抑制剤放出口２３から構成されている。
【００２３】
赤外線・紫外線放出抑制剤格納部２０は、噴射ノズル１５の外周部に沿って環状に形成され、粉末加工された赤外線・紫外線放出抑制剤１６を格納する容器である。
【００２４】
高圧ガスボンベ２１は、この赤外線・紫外線放出抑制剤格納部２０とガス管２２によって連結して設けられ、噴射ノズル１５から燃焼ガスが放出されるのに合わせて赤外線・紫外線放出抑制剤格納部２０に向けて放出する高圧ガスを格納する容器である。
【００２５】
抑制剤放出口２３は、赤外線・紫外線放出抑制剤格納部２０に連結しており、噴射ノズル１５の噴射口の外周部に所望の数設けられ、高圧ガスの放出に伴って赤外線・紫外線放出抑制剤格納部２０から放出する赤外線・紫外線放出抑制剤１６を燃焼ガスの噴射領域の外周領域に向けて放出する。
【００２６】
図８は、図６に示す飛翔体の飛翔時における断面図である。ここでは、第一段点火を行った場合の様子が示されており、燃焼室１１側での燃焼によって燃焼ガスが発生すると、燃焼ガスは矢印Ｓ方向に移動して噴射ノズル１５から外部へ放出され、機体には矢印Ｔ方向への推進力を生じる。また、噴射の際には、飛翔体の制御装置（図示省略する）からの指令に基づいて高圧ガスボンベ２１から高圧ガスが赤外線・紫外線放出抑制剤格納部２０に導入される。そして、赤外線・紫外線放出抑制剤格納部２０内に格納されている粉末状の赤外線・紫外線放出抑制剤１６が、燃焼ガスの噴射領域の外周領域に向けて放出され、噴射領域の外周部を被覆する状態となる。この結果、燃焼ガスから放出される赤外線および紫外線は、赤外線および紫外線を反射・吸収する反射・吸収層１７の内部で拡散、減衰されるようになり、この反射・吸収層１７の外部に放出されるときは、減衰した赤外線および紫外線となる。
【００２７】
このように、本実施形態によれば、赤外線・紫外線放出抑制剤１６の飛散を高圧ガスの導入タイミングによって制御することが可能となる。
【００２８】
＜実施形態４＞
図９は、本発明の実施形態４に係る飛翔体の全体構成例を示す断面図である。また、図１０は、図９に示す飛翔体の噴射ノズル１５外周部分の拡大図であり、図１１は、図１０に示す飛翔体の断面ＡＡ´部における断面図である。
【００２９】
これらの図に示されるように、本実施形態においては赤外線・紫外線放出抑制機構を構成する赤外線・紫外線放出抑制剤格納部２０、高圧ガスボンベ２１、ガス管２２および抑制剤放出口２３の位置が上記実施形態３とは異なり、赤外線・紫外線放出抑制剤格納部２０が高圧ガスボンベ２１と噴射ノズル１５の外周面（側面）の間に配置され、かつ、噴射ノズル１５の内壁面と外壁面の間には、環状の抑制剤流路１８が赤外線・紫外線放出抑制剤格納部２０に連結して設けられている。また、噴射ノズル１５の外周面上には、抑制剤流路１８に連結された抑制剤放出口２３が形成されている。
【００３０】
したがって、本実施形態によれば、高圧ガスボンベ２１から高圧ガス（例えば窒素ガスやアルゴンガス）を赤外線・紫外線放出抑制剤１６を充填した赤外線・紫外線放出抑制剤格納部２０に向けて噴射すると、噴射ノズル１５の底面だけでなく側面の抑制剤放出口２３からも放出できる。この結果、側面から放出された薬剤は飛翔体の後部外壁面と噴射ノズル１５との間に形成されている空間に滞留するため、実施形態３に比べて赤外線・紫外線放出抑制剤１６の放出時の濃度を均一化できる効果を奏する。
【００３１】
＜実施形態５＞
図１２は、本発明の実施形態５に係る飛翔体の全体構成例を示す断面図である。同図に示されるように、本実施形態における赤外線・紫外線放出抑制機構は、噴射ノズル１５の外周部に沿って環状に形成され、粉末加工された赤外線・紫外線放出抑制剤１６を格納する赤外線・紫外線放出抑制剤格納部２０および抑制剤放出口２３の他に、燃焼圧力誘導管２４およびピストン２５を備えている。
【００３２】
燃焼圧力誘導管２４は、赤外線・紫外線放出抑制剤格納部２０および燃焼室１１に連結して設けられ、燃焼室１１から赤外線・紫外線放出抑制剤格納部２０に向けて燃焼圧力を誘導する金属管である。燃焼圧力誘導管２４内には、所望の充填剤を充填しておき、充填剤を燃焼圧力で押すことによってピストン２５へ圧力を伝えることができる。
【００３３】
ピストン２５は、赤外線・紫外線放出抑制剤格納部２０内において燃焼圧力誘導管２４側に設けられ、燃焼圧力の導入に伴って赤外線・紫外線放出抑制剤格納部２０内に格納されている赤外線・紫外線放出抑制剤１６に対して抑制剤放出口２３方向への押圧力を加える部材である。
【００３４】
このように、本実施形態によれば、飛翔体の後方部に、噴射ノズル１５とは別の燃焼ガスの圧力誘導路である燃焼圧力誘導管２４を設けているため、燃焼圧力によりピストン２５を押して噴射ノズル１５周辺に設けられた赤外線・紫外線放出抑制剤格納部２０から赤外線・紫外線放出抑制剤１６の粉末を放出する噴射ノズル１５から後方へ飛散させることが可能となる。
【００３５】
したがって、上記実施形態３および実施形態４と異なり、高圧ガスボンベを用いることなく噴射タイミングに合わせて赤外線・紫外線放出抑制剤１６を放出・飛散することが可能な効果を奏する。
【００３６】
＜実施形態６＞
図１３は、本発明の実施形態６に係る飛翔体の全体構成例を示す断面図である。また、図１４は、図１３に示す飛翔体を噴射ノズル１５側から見た底面図である。
【００３７】
これらの図に示されるように、本実施形態における赤外線・紫外線放出抑制機構は、赤外線・紫外線放出抑制剤格納部２０の他に、押しバネ２６、振動装置２７および抑制剤放出メッシュ２８を備えた構成である。尚、赤外線・紫外線放出抑制剤格納部２０に格納されている赤外線・紫外線放出抑制剤１６はバインダ（ゴム）や高圧を負荷することにより固形化されているものとする。
【００３８】
押しバネ２６は、赤外線・紫外線放出抑制剤格納部２０に隣接して燃焼室１１側に設けられ、赤外線・紫外線放出抑制剤格納部２０内の赤外線・紫外線放出抑制剤１６を噴射ノズル１５の噴射方向と平行に抑制剤放出メッシュ２８側へ押し付けるバネである。
【００３９】
振動装置２７は、押しバネ２６に隣接して設けられ、飛翔体の制御装置（図示省略する）からの指令に基づいて所望のタイミングで押しバネ２６に振動を加える装置である。
【００４０】
抑制剤放出メッシュ２８は、赤外線・紫外線放出抑制剤格納部２０の一端に噴射ノズル１５の噴射口の外周部に沿って網目状に形成されたヤスリ部材であって、振動装置２７からの振動と押しバネ２６からの押圧力とに基づいて当接された赤外線・紫外線放出抑制剤１６を削り取り、燃焼ガスの噴射領域の外周領域に向けて放出する。
【００４１】
このように、本実施形態によれば、飛翔体の制御装置（図示省略する）からの指令に基づいて振動装置２７から振動が発生し、赤外線・紫外線放出抑制剤１６の粉末がヤスリがけによって生成される構成のため、予め粉末化させておく場合に比べて飛散制御が容易となる効果を奏する。
【００４２】
＜実施形態７＞
図１５は、本発明の実施形態７に係る飛翔体の全体構成例を示す断面図である。また、図１６は、図１５に示す飛翔体を噴射ノズル１５側から見た底面図であり、図１７は、図１５に示す飛翔体の飛翔時における断面図である。
【００４３】
これらの図に示されるように、本実施形態における赤外線・紫外線放出抑制機構は、赤外線・紫外線放出抑制剤１６の代わりに耐熱性ファイバークロス２９を用いて飛翔体から発生する赤外線や紫外線を反射または吸収して減衰を図るものであり、クロス格納部３０およびクロス展開部３１を備えている。耐熱性ファイバークロス２９の具体例としては。アラミド繊維などの強化繊維をシート状に織ったものに耐熱性ゴムを加工したもの（繊維に吹きつけたり、貼り付けたりして２０００℃〜３０００℃の温度に耐えられるようしたもの）などが挙げられる。
【００４４】
クロス格納部３０は、噴射ノズル１５の外周部に沿って環状に形成され、耐熱性ファイバークロス２９を格納する容器である。クロス展開部３１は、クロス格納部３０に格納された耐熱性ファイバークロス２９を燃焼ガスの噴射領域の外周領域に向けて押し出すことで展開し、燃焼ガスの噴射領域の外周部を耐熱性ファイバークロス２９で被覆する。本実施形態では、発射筒方式を使用し、発射筒であるクロス格納部３０の内側に耐熱性ファイバークロス２９を折り畳んで格納しておき、クロス展開部３１が発射時に押し出すことで蛇腹が展開するように構成されている。尚、耐熱性ファイバークロス２９がないときに比べて、空気抵抗は大きくなると考えられるが、クロスを展開したときの特性に合わせて飛翔体を制御することで大きな影響は抑えられる。
【００４５】
また、図１８は、図１５に示す飛翔体の飛翔時における外観図である。同図に示されるように、耐熱性ファイバークロス２９には所望の数のスリット３２が形成されており、燃焼ガスの膨張による圧力の減少にともない、耐熱性ファイバークロス２９の内圧と大気圧との圧力差を調整するように構成されている。これは、噴射ノズル１５の設計においては、燃焼ガスが常に最適膨張〜不足膨張（ノズル出口でのガス圧が大気と同じか高い状態）となるように設計する必要があるためである。過膨張（ノズル出口の圧力が大気圧以下となり、最悪の場合ノズル内面から燃焼ガス流が剥離する状態）となった場合には、ノズル内面から衝撃波が発生したり、燃焼ガスが耐熱性ファイバークロス２９の内部で不定の動きをしたりするため、ばたつき等が発生し、飛翔体の運動に悪影響を与えるからである。したがって、噴射ノズル１５の噴射口近傍の圧力は大気圧以上とする。
【００４６】
更に、燃焼中は、燃焼ガスによって内部から圧力を受けるので、耐熱性ファイバークロス２９は膨らんでいるが、燃焼終了時間にあわせ、制御装置（図示省略する）からの指令に基づいてクロス展開部３１で展開された耐熱性ファイバークロス２９を機体から切り離す機能を有しており、後の飛翔動作に影響を及ぼさないものとする。
【００４７】
切り離し方法としては、種々の方法が考えられる。例えば、以下の図１９に示すように、飛翔体に所定の運動をさせる（例えば、左右に首を振るような運動をさせるとか、ロール回転させる等）ことで切り離す機械的方法が挙げられる。ここでは、機体にある溝を形状しておき、飛翔体の運動によってその溝を耐熱性ファイバークロス２９の接合部のピンが発射時の位置（図１９（ａ））からロールＧの作用によって順次移動し（図１９（ｂ）・（ｃ））、複数回の運動の繰り返しによって最終的には溝から耐熱性ファイバークロス２９の接合部のピンが抜け落ちる（図１９（ｄ））構造例が示されている。本実施形態では、この溝はクロス展開部３１に形成する。
【００４８】
尚、耐熱性ファイバークロス２９の切り離し方法として他の方法を用いてもよい。例えば、電気的方法としては、燃焼時間に合わせてソレノイド等でフックを動かして切り離したり、クロス接合部に磁石を施工しておき、電磁的に切り離したりする方法もある。機械的方法についても、燃焼が終了した際に空気抵抗によって機体が減速することを利用して、減速加速度により作動するバネ等で切り離したり、爆発ボルト等によって強制的にクロス接合部を破壊して切り離したりする方法も考えられる。
【００４９】
このように、本実施形態によれば、赤外線・紫外線放出抑制剤１６を飛散させる代わりに耐熱性ファイバークロス２９を展開させる構成のため、上記各実施形態に比べて確実に燃焼ガスから放出される赤外線および紫外線を吸収あるいは反射して減衰させ、赤外線検知器および紫外線検知器による飛翔体の検知を行いにくくできる効果を奏する。
【００５０】
以上、本発明のいくつかの実施形態を説明したが、これらの実施形態は、例として提示したものであり、発明の範囲を限定することは意図していない。これら新規な実施形態は、その他の様々な形態で実施することが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
１１…燃焼室
１２…断熱部材
１３…推進薬
１４…点火装置
１５…噴射ノズル
１６…赤外線・紫外線放出抑制剤
２０…赤外線・紫外線放出抑制剤格納部
２１…高圧ガスボンベ
２２…ガス管
２３…抑制剤放出口
２４…燃焼圧力誘導管
２５…ピストン
２６…押しバネ
２７…振動装置
２８…抑制剤放出メッシュ
２９…耐熱性ファイバークロス
３０…クロス格納部
３１…クロス展開部
３２…スリット
【図１】
2012255581.tif 000003
【図２】
2012255581.tif 000004
【図４】
2012255581.tif 000005
【図５】
2012255581.tif 000006
【図６】
2012255581.tif 000007
【図７】
2012255581.tif 000008
【図９】
2012255581.tif 000009
【図１０】
2012255581.tif 000010
【図１１】
2012255581.tif 000011
【図１２】
2012255581.tif 000012
【図１３】
2012255581.tif 000013
【図１４】
2012255581.tif 000014
【図１５】
2012255581.tif 000015
【図１６】
2012255581.tif 000016
【図１８】
2012255581.tif 000017
【図１９】
2012255581.tif 000018
【図３】
2012255581.tif 000019
【図８】
2012255581.tif 000020
【図１７】
2012255581.tif 000021
【図２０】
2012255581.tif 000022